【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって、第１の時間において、第１のプライマリコンポーネントキャリア（ＰＣＣ）を介して第１のネットワークノードと通信し、セカンダリＣＣ（ＳＣＣ）を介して第２のネットワークノードと通信することと、
前記ＵＥによって、前記第１の時間に続く第２の時間において前記ＳＣＣを介した第３のネットワークノードとの通信を確立することと、
前記第２の時間において、または、前記第１の時間と前記第２の時間との間に、前記第３のネットワークノードとの通信を前記確立する間、前記ＵＥにおいて、前記第１のＰＣＣを介した前記第１のネットワークノードから第２のＰＣＣを介した別のネットワークノードへのハンドオーバをトリガすることなしに前記第１のＰＣＣを介した前記第１のネットワークノードとの通信を維持することと
を備える、ワイヤレス通信のための方法。
【請求項２】
前記第２のネットワークノードのカバレージエリアを出た後、前記ＳＣＣを介した前記第２のネットワークノードとの通信を非アクティブ化することであって、前記非アクティブ化することは前記ＵＥにおいてハンドオーバをトリガしない、非アクティブ化すること
をさらに備える、請求項１に記載の方法。
【請求項３】
前記第１の時間において少なくとも１つの追加のＳＣＣを介して前記ＵＥによって少なくとも１つの追加のネットワークノードと通信すること
をさらに備える、請求項１に記載の方法。
【請求項４】
前記少なくとも１つの追加のネットワークノードの各々が、前記第１の時間中に前記ＵＥの構成に追加されるか、または前記ＵＥの構成から除去される、請求項３に記載の方法。
【請求項５】
前記第１のＰＣＣおよびＳＣＣ上でのデータ送信についての少なくとも１つの許可を受信すること
をさらに備える、請求項１に記載の方法。
【請求項６】
前記第１のＰＣＣおよびＳＣＣ上での前記ＵＥのためのデータ送信のスケジューリングが集中型である、請求項５に記載の方法。
【請求項７】
前記第１のＰＣＣが前記ＵＥのための指定された制御情報を搬送し、前記ＳＣＣが前記ＵＥのためのデータを搬送する、請求項１に記載の方法。
【請求項８】
前記第１のＰＣＣおよび前記ＳＣＣが前記ＵＥのために独立して構成される、請求項１に記載の方法。
【請求項９】
前記第２のネットワークノードがアクセスポイントを備え、前記ＳＣＣが無認可帯域内にある、請求項１に記載の方法。
【請求項１０】
前記第２のネットワークノードがリレーを備える、請求項１に記載の方法。
【請求項１１】
前記第１のネットワークノードと前記通信することが、前記第１のＰＣＣを介して前記第１のネットワークノードにデータを送ることと、前記第１のＰＣＣを介して前記第１のネットワークノードからデータを受信することとを含み、前記第２のネットワークノードと前記通信することが、前記ＳＣＣを介して前記第２のネットワークノードにデータを送ることと、前記ＳＣＣを介して前記第２のネットワークノードからデータを受信することとを含む、請求項１に記載の方法。
【請求項１２】
前記第１のネットワークノードと前記通信することが、前記第１のＰＣＣを介して前記第１のネットワークノードにデータを送ることと、前記第１のＰＣＣを介して前記第１のネットワークノードからデータを受信することとを含み、前記第２のネットワークノードと前記通信することが、前記ＳＣＣを介して前記第２のネットワークノードからデータを受信することのみを含む、請求項１に記載の方法。
【請求項１３】
前記第１のＰＣＣがトラフィックデータを搬送し、前記ＳＣＣが前記ＵＥのためのブロードキャストデータを搬送する、請求項１に記載の方法。
【請求項１４】
データが、前記第１のＰＣＣ上でハイブリッド自動再送信（ＨＡＲＱ）を用いて送られ、前記ＳＣＣ上でＨＡＲＱを用いずに送られる、請求項１に記載の方法。
【請求項１５】
第１の時間における第１のネットワークノードとの通信のために第１のプライマリコンポーネントキャリア（ＰＣＣ）を用いて、第２のネットワークノードとの通信のためにセカンダリＣＣ（ＳＣＣ）を用いて、ユーザ機器（ＵＥ）を構成することと、
前記第１の時間の後の第２の時間における第３のネットワークノードとの通信のために前記ＳＣＣを用いて前記ＵＥを構成することと、
前記第２の時間において、または、前記第１の時間と前記第２の時間との間に、前記第３のネットワークノードとの通信のために前記ＵＥを前記構成する間、前記第１のＰＣＣを介した前記第１のネットワークノードとの通信を維持するように前記ＵＥを構成することであって、前記ＵＥが前記第１のＰＣＣを介して前記第１のネットワークノードと通信している間、前記ＵＥについて、前記第１のＰＣＣを介した前記第１のネットワークノードから第２のＰＣＣを介した別のネットワークノードへのハンドオーバが実行されない、前記ＵＥを構成することと
を備える、ワイヤレス通信のための方法。
【請求項１６】
前記第１の時間における少なくとも１つの他のネットワークノードとの通信のために別のＳＣＣを用いて前記ＵＥを構成すること
をさらに備える、請求項１５に記載の方法。
【請求項１７】
前記第１のＰＣＣが前記ＵＥのために構成される第１の時間期間中に前記ＵＥの構成に前記ＳＣＣを追加するか、または前記ＵＥの構成から前記ＳＣＣを除去すること
をさらに備える、請求項１５に記載の方法。
【請求項１８】
前記第１のＰＣＣおよび前記ＳＣＣ上でのデータ送信についての許可を前記ＵＥに送ること
をさらに備える、請求項１５に記載の方法。
【請求項１９】
前記第１のＰＣＣ上でのデータ送信についての第１の許可を前記ＵＥに送ることと、
前記ＳＣＣ上でのデータ送信についての第２の許可を前記ＵＥに送ることと
をさらに備える、請求項１５に記載の方法。
【請求項２０】
集中型スケジューリングを用いて前記ＵＥのために前記第１のＰＣＣおよび前記ＳＣＣ上でのデータ送信をスケジュールすること
をさらに備える、請求項１５に記載の方法。
【請求項２１】
分散型スケジューリングを用いて前記ＵＥのために前記第１のＰＣＣおよび前記ＳＣＣ上でのデータ送信をスケジュールすること
をさらに備える、請求項１５に記載の方法。
【請求項２２】
前記第１のＰＣＣが前記ＵＥのための指定された制御情報を搬送し、前記ＳＣＣが前記ＵＥのためのデータを搬送する、請求項１５に記載の方法。
【請求項２３】
前記第１のＰＣＣが前記ＵＥのための第１のタイプのデータを搬送し、前記ＳＣＣが前記ＵＥのための第２のタイプのデータを搬送する、請求項１５に記載の方法。
【請求項２４】
前記第１のＰＣＣおよび前記ＳＣＣが前記ＵＥのために独立して構成される、請求項１５に記載の方法。
【請求項２５】
前記ＵＥが、前記第１のＰＣＣを介して前記第１のネットワークノードにデータを送り、前記第１のＰＣＣを介して前記第１のネットワークノードからデータを受信し、さらに、前記ＳＣＣを介して前記第２のネットワークノードにデータを送り、前記ＳＣＣを介して前記第２のネットワークノードからデータを受信する、請求項１５に記載の方法。
【請求項２６】
前記ＵＥが、前記第１のＰＣＣを介して前記第１のネットワークノードにデータを送り、前記第１のＰＣＣを介して前記第１のネットワークノードからデータを受信し、前記ＳＣＣを介して前記第２のネットワークノードからデータを受信のみをする、請求項１５に記載の方法。
【請求項２７】
前記第１のＰＣＣがトラフィックデータを搬送し、前記ＳＣＣが前記ＵＥのためのブロードキャストデータを搬送する、請求項１５に記載の方法。
【請求項２８】
データが、前記第１のＰＣＣ上でハイブリッド自動再送信（ＨＡＲＱ）を用いて送られ、前記ＳＣＣ上でＨＡＲＱを用いずに送られる、請求項１５に記載の方法。
【請求項２９】
前記第２のネットワークノードがリレーを備える、請求項１５に記載の方法。
【請求項３０】
ユーザ機器（ＵＥ）によって、第１の時間において、第１のプライマリコンポーネントキャリア（ＰＣＣ）を介して第１のネットワークノードと通信し、セカンダリＣＣ（ＳＣＣ）を介して第２のネットワークノードと通信するための手段と、
前記ＵＥによって、前記第１の時間に続く第２の時間において前記ＳＣＣを介した第３のネットワークノードとの通信を確立するための手段と、
前記第２の時間において、または、前記第１の時間と前記第２の時間との間に、前記第３のネットワークノードとの通信を確立するための前記手段の間、前記ＵＥにおいて、前記第１のＰＣＣを介した前記第１のネットワークノードから第２のＰＣＣを介した別のネットワークノードへのハンドオーバをトリガすることなしに前記第１のＰＣＣを介した前記第１のネットワークノードとの通信を維持するための手段と
を備える、ワイヤレス通信のための装置。
【請求項３１】
前記第２のネットワークノードのカバレージエリアを出た後、前記ＳＣＣを介した前記第２のネットワークノードとの通信を非アクティブ化するための手段であって、前記非アクティブ化するための手段は前記ＵＥにおいてハンドオーバをトリガしない、非アクティブ化するための手段
をさらに備える、請求項３０に記載の装置。
【請求項３２】
前記ＵＥによって、前記第１の時間において少なくとも１つの追加のＳＣＣを介して少なくとも１つの追加のネットワークノードと通信するための手段
をさらに備える、請求項３０に記載の装置。
【請求項３３】
前記少なくとも１つの追加のネットワークノードの各々が、前記第１の時間中に前記ＵＥの構成に追加されるか、または前記ＵＥの構成から除去される、請求項３２に記載の装置。
【請求項３４】
前記第１のＰＣＣおよびＳＣＣ上でのデータ送信についての少なくとも１つの許可を受信するための手段
をさらに備える、請求項３０に記載の装置。
【請求項３５】
前記第１のＰＣＣおよびＳＣＣ上での前記ＵＥのためのデータ送信のスケジューリングが集中型である、請求項３４に記載の装置。
【請求項３６】
前記第１のＰＣＣが前記ＵＥのための指定された制御情報を搬送し、前記ＳＣＣが前記ＵＥのためのデータを搬送する、請求項３０に記載の装置。
【請求項３７】
前記第１のＰＣＣおよび前記ＳＣＣが前記ＵＥのために独立して構成される、請求項３０に記載の装置。
【請求項３８】
前記第２のネットワークノードがアクセスポイントを備え、前記ＳＣＣが無認可帯域内にある、請求項３０に記載の装置。
【請求項３９】
前記第２のネットワークノードがリレーを備える、請求項３０に記載の装置。
【請求項４０】
前記第１のネットワークノードと通信するための前記手段が、前記第１のＰＣＣを介して前記第１のネットワークノードにデータを送るための手段と、前記第１のＰＣＣを介して前記第１のネットワークノードからデータを受信するための手段とを含み、前記第２のネットワークノードと通信するための前記手段が、前記ＳＣＣを介して前記第２のネットワークノードにデータを送るための手段と、前記ＳＣＣを介して前記第２のネットワークノードからデータを受信するための手段とを含む、請求項３０に記載の装置。
【請求項４１】
前記第１のネットワークノードと通信するための前記手段が、前記第１のＰＣＣを介して前記第１のネットワークノードにデータを送るための手段と、前記第１のＰＣＣを介して前記第１のネットワークノードからデータを受信するための手段とを含み、前記第２のネットワークノードと通信するための前記手段が、前記ＳＣＣを介して前記第２のネットワークノードからデータを受信するための手段のみを含む、請求項３０に記載の装置。
【請求項４２】
前記第１のＰＣＣがトラフィックデータを搬送し、前記ＳＣＣが前記ＵＥのためのブロードキャストデータを搬送する、請求項３０に記載の装置。
【請求項４３】
データが、前記第１のＰＣＣ上でハイブリッド自動再送信（ＨＡＲＱ）を用いて送られ、前記ＳＣＣ上でＨＡＲＱを用いずに送られる、請求項３０に記載の装置。
【請求項４４】
第１の時間における第１のネットワークノードとの通信のために第１のプライマリコンポーネントキャリア（ＰＣＣ）を用いて、第２のネットワークノードとの通信のためにセカンダリＣＣ（ＳＣＣ）を用いて、ユーザ機器（ＵＥ）を構成するための手段と、
前記第１の時間の後の第２の時間における第３のネットワークノードとの通信のために前記ＳＣＣを用いて前記ＵＥを構成するための手段と、
前記第２の時間において、または、前記第１の時間と前記第２の時間との間に、前記第３のネットワークノードとの通信のために前記ＵＥを構成するための前記手段の間、前記第１のＰＣＣを介した前記第１のネットワークノードとの通信を維持するように前記ＵＥを構成するための手段であって、前記ＵＥが前記第１のＰＣＣを介して前記第１のネットワークノードと通信している間、前記ＵＥについて、前記第１のＰＣＣを介した前記第１のネットワークノードから第２のＰＣＣを介した別のネットワークノードへのハンドオーバが実行されない、構成するための手段と
を備える、ワイヤレス通信のための装置。
【請求項４５】
前記第１の時間における少なくとも１つの他のネットワークノードとの通信のために別のＳＣＣを用いて前記ＵＥを構成するための手段
をさらに備える、請求項４４に記載の装置。
【請求項４６】
前記第１のＰＣＣが前記ＵＥのために構成される第１の時間期間中に前記ＵＥの構成に前記ＳＣＣを追加するか、または前記ＵＥの構成から前記ＳＣＣを除去するための手段
をさらに備える、請求項４４に記載の装置。
【請求項４７】
前記第１のＰＣＣおよび前記ＳＣＣ上でのデータ送信についての許可を前記ＵＥに送るための手段
をさらに備える、請求項４４に記載の装置。
【請求項４８】
前記第１のＰＣＣ上でのデータ送信についての第１の許可を前記ＵＥに送るための手段と、
前記ＳＣＣ上でのデータ送信についての第２の許可を前記ＵＥに送るための手段と
をさらに備える、請求項４４に記載の装置。
【請求項４９】
集中型スケジューリングを用いて前記ＵＥのために前記第１のＰＣＣおよび前記ＳＣＣ上でのデータ送信をスケジュールするための手段
をさらに備える、請求項４４に記載の装置。
【請求項５０】
分散型スケジューリングを用いて前記ＵＥのために前記第１のＰＣＣおよび前記ＳＣＣ上でのデータ送信をスケジュールするための手段
をさらに備える、請求項４４に記載の装置。
【請求項５１】
前記第１のＰＣＣが前記ＵＥのための指定された制御情報を搬送し、前記ＳＣＣが前記ＵＥのためのデータを搬送する、請求項４４に記載の装置。
【請求項５２】
前記第１のＰＣＣが前記ＵＥのための第１のタイプのデータを搬送し、前記ＳＣＣが前記ＵＥのための第２のタイプのデータを搬送する、請求項４４に記載の装置。
【請求項５３】
前記第１のＰＣＣおよび前記ＳＣＣが前記ＵＥのために独立して構成される、請求項４４に記載の装置。
【請求項５４】
前記ＵＥが、前記第１のＰＣＣを介して前記第１のネットワークノードにデータを送り、前記第１のＰＣＣを介して前記第１のネットワークノードからデータを受信し、さらに、前記ＳＣＣを介して前記第２のネットワークノードにデータを送り、前記ＳＣＣを介して前記第２のネットワークノードからデータを受信する、請求項４４に記載の装置。
【請求項５５】
前記ＵＥが、前記第１のＰＣＣを介して前記第１のネットワークノードにデータを送り、前記第１のＰＣＣを介して前記第１のネットワークノードからデータを受信し、前記ＳＣＣを介して前記第２のネットワークノードからデータを受信のみをする、請求項４４に記載の装置。
【請求項５６】
前記第１のＰＣＣがトラフィックデータを搬送し、前記ＳＣＣが前記ＵＥのためのブロードキャストデータを搬送する、請求項４４に記載の装置。
【請求項５７】
データが、前記第１のＰＣＣ上でハイブリッド自動再送信（ＨＡＲＱ）を用いて送られ、前記ＳＣＣ上でＨＡＲＱを用いずに送られる、請求項４４に記載の装置。
【請求項５８】
前記第２のネットワークノードがリレーを備える、請求項４４に記載の装置。
【請求項５９】
プログラムコードを記録した非一時的コンピュータ可読媒体を備える、ワイヤレスネットワークにおけるワイヤレス通信のためのコンピュータプログラム製品であって、前記プログラムコードは、
ユーザ機器（ＵＥ）によって、第１の時間において、第１のプライマリコンポーネントキャリア（ＰＣＣ）を介して第１のネットワークノードと通信し、セカンダリＣＣ（ＳＣＣ）を介して第２のネットワークノードと通信することをコンピュータに行わせるためのプログラムコードと、
前記ＵＥによって、前記第１の時間に続く第２の時間において前記ＳＣＣを介した第３のネットワークノードとの通信を確立することをコンピュータに行わせるためのプログラムコードと、
前記第２の時間において、または、前記第１の時間と前記第２の時間との間に、前記第３のネットワークノードとの通信を確立することをコンピュータに行わせるための前記プログラムコードの実行中、前記ＵＥにおいて、前記第１のＰＣＣを介した前記第１のネットワークノードから第２のＰＣＣを介した別のネットワークノードへのハンドオーバをトリガすることなしに前記第１のＰＣＣを介した前記第１のネットワークノードとの通信を維持することをコンピュータに行わせるためのプログラムコードと
を含む、コンピュータプログラム製品。
【請求項６０】
前記第２のネットワークノードのカバレージエリアを出た後、前記ＳＣＣを介した前記第２のネットワークノードとの通信を非アクティブ化することをコンピュータに行わせるためのプログラムコードであって、前記非アクティブ化することをコンピュータに行わせるための前記プログラムコードは前記ＵＥにおいてハンドオーバをトリガしない、非アクティブ化することをコンピュータに行わせるためのプログラムコード
をさらに備える、請求項５９に記載のコンピュータプログラム製品。
【請求項６１】
前記ＵＥによって前記第１の時間において少なくとも１つの追加のＳＣＣを介して少なくとも１つの追加のネットワークノードと通信することをコンピュータに行わせるためのプログラムコード
をさらに備える、請求項５９に記載のコンピュータプログラム製品。
【請求項６２】
前記第１のネットワークノードと通信することをコンピュータに行わせるための前記プログラムコードが、前記第１のＰＣＣを介して前記第１のネットワークノードにデータを送り、前記第１のＰＣＣを介して前記第１のネットワークノードからデータを受信することをコンピュータに行わせるためのプログラムコードを含み、前記第２のネットワークノードと通信することをコンピュータに行わせるための前記プログラムコードが、前記ＳＣＣを介して前記第２のネットワークノードにデータを送り、前記ＳＣＣを介して前記第２のネットワークノードからデータを受信することをコンピュータに行わせるためのプログラムコードを含む、請求項５９に記載のコンピュータプログラム製品。
【請求項６３】
前記第１のネットワークノードと通信することをコンピュータに行わせるための前記プログラムコードが、前記第１のＰＣＣを介して前記第１のネットワークノードにデータを送り、前記第１のＰＣＣを介して前記第１のネットワークノードからデータを受信することをコンピュータに行わせるためのプログラムコードを含み、前記第２のネットワークノードと通信することをコンピュータに行わせるための前記プログラムコードが、前記ＳＣＣを介して前記第２のネットワークノードからデータを受信することをコンピュータに行わせるためのプログラムコードのみを含む、請求項５９に記載のコンピュータプログラム製品。
【請求項６４】
プログラムコードを記録した非一時的コンピュータ可読媒体を備える、ワイヤレスネットワークにおけるワイヤレス通信のためのコンピュータプログラム製品であって、前記プログラムコードは、
第１の時間における第１のネットワークノードとの通信のために第１のプライマリコンポーネントキャリア（ＰＣＣ）を用いて、第２のネットワークノードとの通信のためにセカンダリＣＣ（ＳＣＣ）を用いてユーザ機器（ＵＥ）を構成することをコンピュータに行わせるためのプログラムコードと、
前記第１の時間の後の第２の時間における第３のネットワークノードとの通信のために前記ＳＣＣを用いて前記ＵＥを構成することをコンピュータに行わせるためのプログラムコードと、
前記第２の時間において、または、前記第１の時間と前記第２の時間との間に、前記第３のネットワークノードとの通信のために前記ＵＥを前記構成する間、前記第１のＰＣＣを介した前記第１のネットワークノードとの通信を維持するように前記ＵＥを構成することをコンピュータに行わせるためのプログラムコードであって、前記ＵＥが前記第１のＰＣＣを介して前記第１のネットワークノードと通信している間、前記ＵＥについて、前記第１のＰＣＣを介した前記第１のネットワークノードから第２のＰＣＣを介した別のネットワークノードへのハンドオーバが実行されない、前記ＵＥを構成することをコンピュータに行わせるためのプログラムコードと
を含む、コンピュータプログラム製品。
【請求項６５】
前記第１の時間における少なくとも１つの他のネットワークノードとの通信のために別のＳＣＣを用いて前記ＵＥを構成することをコンピュータに行わせるためのプログラムコード
をさらに備える、請求項６４に記載のコンピュータプログラム製品。
【請求項６６】
前記第１のＰＣＣが前記ＵＥのために構成される第１の時間期間中に前記ＵＥの構成に前記ＳＣＣを追加するか、または前記ＵＥの構成から前記ＳＣＣを除去することをコンピュータに行わせるためのプログラムコード
をさらに備える、請求項６４に記載のコンピュータプログラム製品。
【請求項６７】
前記ＵＥが、前記第１のＰＣＣを介して前記第１のネットワークノードにデータを送り、前記第１のＰＣＣを介して前記第１のネットワークノードからデータを受信し、さらに、前記ＳＣＣを介して前記第２のネットワークノードにデータを送り、前記ＳＣＣを介して前記第２のネットワークノードからデータを受信する、請求項６４に記載のコンピュータプログラム製品。
【請求項６８】
前記ＵＥが、前記第１のＰＣＣを介して前記第１のネットワークノードにデータを送り、前記第１のＰＣＣを介して前記第１のネットワークノードからデータを受信し、前記ＳＣＣを介して前記第２のネットワークノードからデータを受信のみをする、請求項６４に記載のコンピュータプログラム製品。
【請求項６９】
前記第１のＰＣＣがトラフィックデータを搬送し、前記ＳＣＣが前記ＵＥのためのブロードキャストデータを搬送する、請求項６４に記載のコンピュータプログラム製品。
【請求項７０】
ワイヤレス通信のために構成された装置であって、前記装置が、
少なくとも１つのプロセッサと、
前記少なくとも１つのプロセッサに結合されたメモリと
を備え、
前記少なくとも１つのプロセッサは、
ユーザ機器（ＵＥ）によって、第１の時間において、第１のプライマリコンポーネントキャリア（ＰＣＣ）を介して第１のネットワークノードと通信し、セカンダリＣＣ（ＳＣＣ）を介して第２のネットワークノードと通信することと、
前記ＵＥによって、前記第１の時間に続く第２の時間において前記ＳＣＣを介した第３のネットワークノードとの通信を確立することと、
前記第２の時間において、または、前記第１の時間と前記第２の時間との間に、前記第３のネットワークノードとの通信の確立中、前記ＵＥにおいて、前記第１のＰＣＣを介した前記第１のネットワークノードから第２のＰＣＣを介した別のネットワークノードへのハンドオーバをトリガすることなしに前記第１のＰＣＣを介した前記第１のネットワークノードとの通信を維持することと
を行うように構成される、装置。
【請求項７１】
前記第２のネットワークノードのカバレージエリアを出た後、前記ＳＣＣを介した前記第２のネットワークノードとの通信を非アクティブ化することであって、前記非アクティブ化は前記ＵＥにおいてハンドオーバをトリガしない、非アクティブ化すること
を行うための前記少なくとも１つのプロセッサの構成をさらに備える、請求項７０に記載の装置。
【請求項７２】
前記ＵＥによって前記第１の時間において少なくとも１つの追加のＳＣＣを介して少なくとも１つの追加のネットワークノードと通信すること
を行うための前記少なくとも１つのプロセッサの構成をさらに備える、請求項７０に記載の装置。
【請求項７３】
前記第１のネットワークノードと通信することを行うための前記少なくとも１つのプロセッサの前記構成が、前記第１のＰＣＣを介して前記第１のネットワークノードにデータを送り、前記第１のＰＣＣを介して前記第１のネットワークノードからデータを受信することを行うための前記少なくとも１つのプロセッサの構成を含み、前記第２のネットワークノードと通信することを行うための前記少なくとも１つのプロセッサの前記構成が、前記ＳＣＣを介して前記第２のネットワークノードにデータを送り、前記ＳＣＣを介して前記第２のネットワークノードからデータを受信することを行うための前記少なくとも１つのプロセッサの構成を含む、請求項７０に記載の装置。
【請求項７４】
前記第１のネットワークノードと通信することを行うための前記少なくとも１つのプロセッサの前記構成が、前記第１のＰＣＣを介して前記第１のネットワークノードにデータを送り、前記第１のＰＣＣを介して前記第１のネットワークノードからデータを受信することを行うための前記少なくとも１つのプロセッサの構成を含み、前記第２のネットワークノードと通信することを行うための前記少なくとも１つのプロセッサの前記構成が、前記ＳＣＣを介して前記第２のネットワークノードからデータを受信することを行うための前記少なくとも１つのプロセッサの構成のみを含む、請求項７０に記載の装置。
【請求項７５】
ワイヤレス通信のために構成された装置であって、
少なくとも１つのプロセッサと、
前記少なくとも１つのプロセッサに結合されたメモリと
を備え、
前記少なくとも１つのプロセッサは、
第１の時間における第１のネットワークノードとの通信のために第１のプライマリコンポーネントキャリア（ＰＣＣ）を用い、第２のネットワークノードとの通信のためにセカンダリＣＣ（ＳＣＣ）を用いて、ユーザ機器（ＵＥ）を構成することと、
前記第１の時間の後の第２の時間における第３のネットワークノードとの通信のために前記ＳＣＣを用いて前記ＵＥを構成することと、
前記第２の時間において、または、前記第１の時間と前記第２の時間との間に、前記第３のネットワークノードとの通信のために前記ＵＥを前記構成する間、前記第１のＰＣＣを介した前記第１のネットワークノードとの通信を維持するように前記ＵＥを構成することであって、前記ＵＥが前記第１のＰＣＣを介して前記第１のネットワークノードと通信している間、前記ＵＥについて、前記第１のＰＣＣを介した前記第１のネットワークノードから第２のＰＣＣを介した別のネットワークノードへのハンドオーバが実行されない、前記ＵＥを構成することと
を行うように構成される、装置。
【請求項７６】
前記第１の時間における少なくとも１つの他のネットワークノードとの通信のために別のＳＣＣを用いて前記ＵＥを構成すること
を行うための前記少なくとも１つのプロセッサの構成をさらに備える、請求項７５に記載の装置。
【請求項７７】
前記第１のＰＣＣが前記ＵＥのために構成される第１の時間期間中に前記ＵＥの構成に前記ＳＣＣを追加するか、または前記ＵＥの構成から前記ＳＣＣを除去すること
を行うための前記少なくとも１つのプロセッサの構成をさらに備える、請求項７５に記載の装置。
【請求項７８】
前記ＵＥが、前記第１のＰＣＣを介して前記第１のネットワークノードにデータを送り、前記第１のＰＣＣを介して前記第１のネットワークノードからデータを受信し、さらに、前記ＳＣＣを介して前記第２のネットワークノードにデータを送り、前記ＳＣＣを介して前記第２のネットワークノードからデータを受信する、請求項７５に記載の装置。
【請求項７９】
前記ＵＥが、前記第１のＰＣＣを介して前記第１のネットワークノードにデータを送り、前記第１のＰＣＣを介して前記第１のネットワークノードからデータを受信し、前記ＳＣＣを介して前記第２のネットワークノードからデータを受信のみをする、請求項７５に記載の装置。
【請求項８０】
前記第１のＰＣＣがトラフィックデータを搬送し、前記ＳＣＣが前記ＵＥのためのブロードキャストデータを搬送する、請求項７５に記載の装置。
【手続補正２】
【補正対象書類名】明細書
【補正対象項目名】０１０７
【補正方法】変更
【補正の内容】
【０１０７】
[00118]本開示についての以上の説明は、当業者が本開示を作成または使用することができるように与えたものである。本開示に対する様々な修正は当業者には容易に明らかであり、本明細書で定義した一般原理は、本開示の趣旨または範囲から逸脱することなく他の変形形態に適用され得る。したがって、本開示は、本明細書で説明した例および設計だけに限定されるものではなく、本明細書で開示した原理および新規の特徴に合致する最も広い範囲を与えられるべきである。
以下に本願発明の当初の特許請求の範囲に記載された発明を付記する。
［Ｃ１］
ユーザ機器（ＵＥ）によって、第１の時間において、プライマリコンポーネントキャリア（ＰＣＣ）を介して第１のネットワークノードと通信し、セカンダリＣＣ（ＳＣＣ）を介して第２のネットワークノードと通信することと、
前記ＵＥによって、第２の時間において前記ＳＣＣを介した第３のネットワークノードとの通信を確立することと、
前記第３のネットワークノードとの通信を確立する間、前記ＵＥにおいてハンドオーバをトリガすることなしに前記ＰＣＣを介した前記第１のネットワークノードとの通信を維持することとを備える、ワイヤレス通信のための方法。
［Ｃ２］
前記第２のネットワークノードのカバレージエリアを出た後、前記ＳＣＣを介した前記第２のネットワークノードとの通信を非アクティブ化することであって、前記非アクティブ化することは前記ＵＥにおいてハンドオーバをトリガしない、非アクティブ化することをさらに備える、Ｃ１に記載の方法。
［Ｃ３］
前記第１の時間において少なくとも１つの追加のＳＣＣを介して前記ＵＥによって少なくとも１つの追加のネットワークノードと通信することをさらに備える、Ｃ１に記載の方法。
［Ｃ４］
前記少なくとも１つの追加のネットワークノードの各々が、前記第１の時間中に前記ＵＥの構成に追加されるか、または前記ＵＥの構成から除去される、Ｃ３に記載の方法。
［Ｃ５］
前記ＰＣＣおよびＳＣＣ上でのデータ送信についての少なくとも１つの許可を受信することをさらに備える、Ｃ１に記載の方法。
［Ｃ６］
前記ＰＣＣおよびＳＣＣ上での前記ＵＥのためのデータ送信のスケジューリングが集中型である、Ｃ５に記載の方法。
［Ｃ７］
前記ＰＣＣが前記ＵＥのための指定された制御情報を搬送し、前記ＳＣＣが前記ＵＥのためのデータを搬送する、Ｃ１に記載の方法。
［Ｃ８］
前記ＰＣＣおよび前記ＳＣＣが前記ＵＥのために独立して構成される、Ｃ１に記載の方法。
［Ｃ９］
前記第２のネットワークノードがアクセスポイントを備え、前記ＳＣＣが無認可帯域内にある、Ｃ１に記載の方法。
［Ｃ１０］
前記第２のネットワークノードがリレーを備える、Ｃ１に記載の方法。
［Ｃ１１］
前記第１のネットワークノードと前記通信することが、前記ＰＣＣを介して前記第１のネットワークノードにデータを送ることと、前記ＰＣＣを介して前記第１のネットワークノードからデータを受信することとを含み、前記第２のネットワークノードと前記通信することが、前記ＳＣＣを介して前記第２のネットワークノードにデータを送ることと、前記ＳＣＣを介して前記第２のネットワークノードからデータを受信することとを含む、Ｃ１に記載の方法。
［Ｃ１２］
前記第１のネットワークノードと前記通信することが、前記ＰＣＣを介して前記第１のネットワークノードにデータを送ることと、前記ＰＣＣを介して前記第１のネットワークノードからデータを受信することとを含み、前記第２のネットワークノードと前記通信することが、前記ＳＣＣを介して前記第２のネットワークノードからデータを受信することのみを含む、Ｃ１に記載の方法。
［Ｃ１３］
前記ＰＣＣがトラフィックデータを搬送し、前記ＳＣＣが前記ＵＥのためのブロードキャストデータを搬送する、Ｃ１に記載の方法。
［Ｃ１４］
データが、前記ＰＣＣ上でハイブリッド自動再送信（ＨＡＲＱ）を用いて送られ、前記ＳＣＣ上でＨＡＲＱを用いずに送られる、Ｃ１に記載の方法。
［Ｃ１５］
第１の時間における第１のネットワークノードとの通信のためにプライマリコンポーネントキャリア（ＰＣＣ）を用いて、第２のネットワークノードとの通信のためにセカンダリＣＣ（ＳＣＣ）を用いて、ユーザ機器（ＵＥ）を構成することと、
前記第１の時間の後の第２の時間における第３のネットワークノードとの通信のために前記ＳＣＣを用いて前記ＵＥを構成することと、
前記第３のネットワークノードとの通信のために前記ＵＥを前記構成する間、前記ＰＣＣを介した前記第１のネットワークノードとの通信を維持するように前記ＵＥを構成することであって、前記ＵＥが前記ＰＣＣを介して前記第１のネットワークノードと通信している間、前記ＵＥについてハンドオーバが実行されない、前記ＵＥを構成することとを備える、ワイヤレス通信のための方法。
［Ｃ１６］
前記第１の時間における少なくとも１つの他のネットワークノードとの通信のために別のＳＣＣを用いて前記ＵＥを構成することをさらに備える、Ｃ１５に記載の方法。
［Ｃ１７］
前記ＰＣＣが前記ＵＥのために構成されるとき、第１の時間期間中に前記ＵＥの構成に前記ＳＣＣを追加するか、または前記ＵＥの構成から前記ＳＣＣを除去することをさらに備える、Ｃ１５に記載の方法。
［Ｃ１８］
前記ＰＣＣおよび前記ＳＣＣ上でのデータ送信についての許可を前記ＵＥに送ることをさらに備える、Ｃ１５に記載の方法。
［Ｃ１９］
前記ＰＣＣ上でのデータ送信についての第１の許可を前記ＵＥに送ることと、
前記ＳＣＣ上でのデータ送信についての第２の許可を前記ＵＥに送ることとをさらに備える、Ｃ１５に記載の方法。
［Ｃ２０］
集中型スケジューリングを用いて前記ＵＥのために前記ＰＣＣおよび前記ＳＣＣ上でのデータ送信をスケジュールすることをさらに備える、Ｃ１５に記載の方法。
［Ｃ２１］
分散型スケジューリングを用いて前記ＵＥのために前記ＰＣＣおよび前記ＳＣＣ上でのデータ送信をスケジュールすることをさらに備える、Ｃ１５に記載の方法。
［Ｃ２２］
前記ＰＣＣが前記ＵＥのための指定された制御情報を搬送し、前記ＳＣＣが前記ＵＥのためのデータを搬送する、Ｃ１５に記載の方法。
［Ｃ２３］
前記ＰＣＣが前記ＵＥのための第１のタイプのデータを搬送し、前記ＳＣＣが前記ＵＥのための第２のタイプのデータを搬送する、Ｃ１５に記載の方法。
［Ｃ２４］
前記ＰＣＣおよび前記ＳＣＣが前記ＵＥのために独立して構成される、Ｃ１５に記載の方法。
［Ｃ２５］
前記ＵＥが、前記ＰＣＣを介して前記第１のネットワークノードにデータを送り、前記ＰＣＣを介して前記第１のネットワークノードからデータを受信し、さらに、前記ＳＣＣを介して前記第２のネットワークノードにデータを送り、前記ＳＣＣを介して前記第２のネットワークノードからデータを受信する、Ｃ１５に記載の方法。
［Ｃ２６］
前記ＵＥが、前記ＰＣＣを介して前記第１のネットワークノードにデータを送り、前記ＰＣＣを介して前記第１のネットワークノードからデータを受信し、前記ＳＣＣを介して前記第２のネットワークノードからデータを受信のみをする、Ｃ１５に記載の方法。
［Ｃ２７］
前記ＰＣＣがトラフィックデータを搬送し、前記ＳＣＣが前記ＵＥのためのブロードキャストデータを搬送する、Ｃ１５に記載の方法。
［Ｃ２８］
データが、前記ＰＣＣ上でハイブリッド自動再送信（ＨＡＲＱ）を用いて送られ、前記ＳＣＣ上でＨＡＲＱを用いずに送られる、Ｃ１５に記載の方法。
［Ｃ２９］
前記第２のネットワークノードがリレーを備える、Ｃ１５に記載の方法。
［Ｃ３０］
プライマリコンポーネントキャリア（ＰＣＣ）上でユーザ機器（ＵＥ）から第１のネットワークノードに送られた第１のアップリンク送信についての第１のシンボル推定値を取得することと、
前記第１のアップリンク送信を受信する第２のネットワークノードから前記第１のアップリンク送信についての第２のシンボル推定値を取得することであって、前記ＵＥが、前記ＰＣＣ上で前記第１のネットワークノードと、およびセカンダリＣＣ（ＳＣＣ）上で前記第２のネットワークノードと同時に通信する、第２のシンボル推定値を取得することと、
前記第１のアップリンク送信についての第１の合成シンボル推定値を取得するために前記第１のシンボル推定値と前記第２のシンボル推定値とを合成することと、
前記ＵＥによって前記第１のアップリンク送信において送られたデータを復元するために前記第１の合成シンボル推定値を復号することとを備える、ワイヤレス通信のための方法。
［Ｃ３１］
前記ＳＣＣ上で前記ＵＥから前記第２のネットワークノードに送られ、前記第１のネットワークノードによって受信された第２のアップリンク送信についての第３のシンボル推定値を取得することと、
前記第２のネットワークノードから前記第２のアップリンク送信についての第４のシンボル推定値を取得することと、
前記第２のアップリンク送信についての第２の合成シンボル推定値を取得するために前記第３のシンボル推定値と前記第４のシンボル推定値とを合成することと、
前記ＵＥによる前記第２のアップリンク送信におけるデータを復元するために前記第２の合成シンボル推定値を復号することとをさらに備える、Ｃ３０に記載の方法。
［Ｃ３２］
前記第１のアップリンク送信についての前記ＵＥの第１の送信タイミングを調整することと、
前記第２のアップリンク送信についての前記ＵＥの第２の送信タイミングを調整することとをさらに備える、Ｃ３０に記載の方法。
［Ｃ３３］
前記ＵＥの前記第１の送信タイミングおよび前記第２の送信タイミングが、前記ＵＥからのアップリンク送信についてのソフト合成の復号パフォーマンスを改善するように調整される、Ｃ３２に記載の方法。
［Ｃ３４］
前記第１のネットワークノードが前記ＵＥのサービングセルを備え、前記第２のネットワークノードがリレーを備える、Ｃ３０に記載の方法。
［Ｃ３５］
ユーザ機器（ＵＥ）によって、第１の時間において、プライマリコンポーネントキャリア（ＰＣＣ）を介して第１のネットワークノードと通信し、セカンダリＣＣ（ＳＣＣ）を介して第２のネットワークノードと通信するための手段と、
前記ＵＥによって、第２の時間において前記ＳＣＣを介した第３のネットワークノードとの通信を確立するための手段と、
前記第３のネットワークノードとの通信を確立するための前記手段の間、前記ＵＥにおいてハンドオーバをトリガすることなしに前記ＰＣＣを介した前記第１のネットワークノードとの通信を維持するための手段とを備える、ワイヤレス通信のための装置。
［Ｃ３６］
前記第２のネットワークノードのカバレージエリアを出た後、前記ＳＣＣを介した前記第２のネットワークノードとの通信を非アクティブ化するための手段であって、前記非アクティブ化するための手段は前記ＵＥにおいてハンドオーバをトリガしない、非アクティブ化するための手段をさらに備える、Ｃ３５に記載の装置。
［Ｃ３７］
前記ＵＥによって、前記第１の時間において少なくとも１つの追加のＳＣＣを介して少なくとも１つの追加のネットワークノードと通信するための手段をさらに備える、Ｃ３５に記載の装置。
［Ｃ３８］
前記少なくとも１つの追加のネットワークノードの各々が、前記第１の時間中に前記ＵＥの構成に追加されるか、または前記ＵＥの構成から除去される、Ｃ３７に記載の装置。
［Ｃ３９］
前記ＰＣＣおよびＳＣＣ上でのデータ送信についての少なくとも１つの許可を受信するための手段をさらに備える、Ｃ３５に記載の装置。
［Ｃ４０］
前記ＰＣＣおよびＳＣＣ上での前記ＵＥのためのデータ送信のスケジューリングが集中型である、Ｃ３９に記載の装置。
［Ｃ４１］
前記ＰＣＣが前記ＵＥのための指定された制御情報を搬送し、前記ＳＣＣが前記ＵＥのためのデータを搬送する、Ｃ３５に記載の装置。
［Ｃ４２］
前記ＰＣＣおよび前記ＳＣＣが前記ＵＥのために独立して構成される、Ｃ３５に記載の装置。
［Ｃ４３］
前記第２のネットワークノードがアクセスポイントを備え、前記ＳＣＣが無認可帯域内にある、Ｃ３５に記載の装置。
［Ｃ４４］
前記第２のネットワークノードがリレーを備える、Ｃ３５に記載の装置。
［Ｃ４５］
前記第１のネットワークノードと通信するための前記手段が、前記ＰＣＣを介して前記第１のネットワークノードにデータを送るための手段と、前記ＰＣＣを介して前記第１のネットワークノードからデータを受信するための手段とを含み、前記第２のネットワークノードと通信するための前記手段が、前記ＳＣＣを介して前記第２のネットワークノードにデータを送るための手段と、前記ＳＣＣを介して前記第２のネットワークノードからデータを受信するための手段とを含む、Ｃ３５に記載の装置。
［Ｃ４６］
前記第１のネットワークノードと通信するための前記手段が、前記ＰＣＣを介して前記第１のネットワークノードにデータを送るための手段と、前記ＰＣＣを介して前記第１のネットワークノードからデータを受信するための手段とを含み、前記第２のネットワークノードと通信するための前記手段が、前記ＳＣＣを介して前記第２のネットワークノードからデータを受信するための手段のみを含む、Ｃ３５に記載の装置。
［Ｃ４７］
前記ＰＣＣがトラフィックデータを搬送し、前記ＳＣＣが前記ＵＥのためのブロードキャストデータを搬送する、Ｃ３５に記載の装置。
［Ｃ４８］
データが、前記ＰＣＣ上でハイブリッド自動再送信（ＨＡＲＱ）を用いて送られ、前記ＳＣＣ上でＨＡＲＱを用いずに送られる、Ｃ３５に記載の装置。
［Ｃ４９］
第１の時間における第１のネットワークノードとの通信のためにプライマリコンポーネントキャリア（ＰＣＣ）を用いて、第２のネットワークノードとの通信のためにセカンダリＣＣ（ＳＣＣ）を用いて、ユーザ機器（ＵＥ）を構成するための手段と、
前記第１の時間の後の第２の時間における第３のネットワークノードとの通信のために前記ＳＣＣを用いて前記ＵＥを構成するための手段と、
前記第３のネットワークノードとの通信のために前記ＵＥを構成するための前記手段の間、前記ＰＣＣを介した前記第１のネットワークノードとの通信を維持するように前記ＵＥを構成するための手段であって、前記ＵＥが前記ＰＣＣを介して前記第１のネットワークノードと通信している間、前記ＵＥについてハンドオーバが実行されない、構成するための手段とを備える、ワイヤレス通信のための装置。
［Ｃ５０］
前記第１の時間における少なくとも１つの他のネットワークノードとの通信のために別のＳＣＣを用いて前記ＵＥを構成するための手段をさらに備える、Ｃ４９に記載の装置。
［Ｃ５１］
前記ＰＣＣが前記ＵＥのために構成されるとき、第１の時間期間中に前記ＵＥの構成に前記ＳＣＣを追加するか、または前記ＵＥの構成から前記ＳＣＣを除去するための手段をさらに備える、Ｃ４９に記載の装置。
［Ｃ５２］
前記ＰＣＣおよび前記ＳＣＣ上でのデータ送信についての許可を前記ＵＥに送るための手段をさらに備える、Ｃ４９に記載の装置。
［Ｃ５３］
前記ＰＣＣ上でのデータ送信についての第１の許可を前記ＵＥに送るための手段と、
前記ＳＣＣ上でのデータ送信についての第２の許可を前記ＵＥに送るための手段とをさらに備える、Ｃ４９に記載の装置。
［Ｃ５４］
集中型スケジューリングを用いて前記ＵＥのために前記ＰＣＣおよび前記ＳＣＣ上でのデータ送信をスケジュールするための手段をさらに備える、Ｃ４９に記載の装置。
［Ｃ５５］
分散型スケジューリングを用いて前記ＵＥのために前記ＰＣＣおよび前記ＳＣＣ上でのデータ送信をスケジュールするための手段をさらに備える、Ｃ４９に記載の装置。
［Ｃ５６］
前記ＰＣＣが前記ＵＥのための指定された制御情報を搬送し、前記ＳＣＣが前記ＵＥのためのデータを搬送する、Ｃ４９に記載の装置。
［Ｃ５７］
前記ＰＣＣが前記ＵＥのための第１のタイプのデータを搬送し、前記ＳＣＣが前記ＵＥのための第２のタイプのデータを搬送する、Ｃ４９に記載の装置。
［Ｃ５８］
前記ＰＣＣおよび前記ＳＣＣが前記ＵＥのために独立して構成される、Ｃ４９に記載の装置。
［Ｃ５９］
前記ＵＥが、前記ＰＣＣを介して前記第１のネットワークノードにデータを送り、前記ＰＣＣを介して前記第１のネットワークノードからデータを受信し、さらに、前記ＳＣＣを介して前記第２のネットワークノードにデータを送り、前記ＳＣＣを介して前記第２のネットワークノードからデータを受信する、Ｃ４９に記載の装置。
［Ｃ６０］
前記ＵＥが、前記ＰＣＣを介して前記第１のネットワークノードにデータを送り、前記ＰＣＣを介して前記第１のネットワークノードからデータを受信し、前記ＳＣＣを介して前記第２のネットワークノードからデータを受信のみをする、Ｃ４９に記載の装置。
［Ｃ６１］
前記ＰＣＣがトラフィックデータを搬送し、前記ＳＣＣが前記ＵＥのためのブロードキャストデータを搬送する、Ｃ４９に記載の装置。
［Ｃ６２］
データが、前記ＰＣＣ上でハイブリッド自動再送信（ＨＡＲＱ）を用いて送られ、前記ＳＣＣ上でＨＡＲＱを用いずに送られる、Ｃ４９に記載の装置。
［Ｃ６３］
前記第２のネットワークノードがリレーを備える、Ｃ４９に記載の装置。
［Ｃ６４］
プライマリコンポーネントキャリア（ＰＣＣ）上でユーザ機器（ＵＥ）から第１のネットワークノードに送られた第１のアップリンク送信についての第１のシンボル推定値を取得するための手段と、
前記第１のアップリンク送信を受信する第２のネットワークノードから前記第１のアップリンク送信についての第２のシンボル推定値を取得するための手段であって、前記ＵＥが、前記ＰＣＣ上で前記第１のネットワークノードと、セカンダリＣＣ（ＳＣＣ）上で前記第２のネットワークノードと同時に通信する、第２のシンボル推定値を取得するための手段と、
前記第１のアップリンク送信についての第１の合成シンボル推定値を取得するために前記第１のシンボル推定値と前記第２のシンボル推定値とを合成するための手段と、
前記ＵＥによって前記第１のアップリンク送信において送られたデータを復元するために前記第１の合成シンボル推定値を復号するための手段とを備える、ワイヤレス通信のための装置。
［Ｃ６５］
前記ＳＣＣ上で前記ＵＥから前記第２のネットワークノードに送られ、前記第１のネットワークノードによって受信された第２のアップリンク送信についての第３のシンボル推定値を取得するための手段と、
前記第２のネットワークノードから前記第２のアップリンク送信についての第４のシンボル推定値を取得するための手段と、
前記第２のアップリンク送信についての第２の合成シンボル推定値を取得するために前記第３のシンボル推定値と前記第４のシンボル推定値とを合成するための手段と、
前記ＵＥによる前記第２のアップリンク送信におけるデータを復元するために前記第２の合成シンボル推定値を復号するための手段とをさらに備える、Ｃ６４に記載の装置。
［Ｃ６６］
前記第１のアップリンク送信についての前記ＵＥの第１の送信タイミングを調整するための手段と、
前記第２のアップリンク送信についての前記ＵＥの第２の送信タイミングを調整するための手段とをさらに備える、Ｃ６４に記載の装置。
［Ｃ６７］
前記ＵＥの前記第１の送信タイミングおよび前記第２の送信タイミングが、前記ＵＥからのアップリンク送信についてのソフト合成の復号パフォーマンスを改善するように調整される、Ｃ６６に記載の装置。
［Ｃ６８］
前記第１のネットワークノードが前記ＵＥのサービングセルを備え、前記第２のネットワークノードがリレーを備える、Ｃ６４に記載の装置。
［Ｃ６９］
プログラムコードを記録した非一時的コンピュータ可読媒体を備える、ワイヤレスネットワークにおけるワイヤレス通信のためのコンピュータプログラム製品であって、前記プログラムコードは、
ユーザ機器（ＵＥ）によって、第１の時間において、プライマリコンポーネントキャリア（ＰＣＣ）を介して第１のネットワークノードと通信し、セカンダリＣＣ（ＳＣＣ）を介して第２のネットワークノードと通信することをコンピュータに行わせるためのプログラムコードと、
前記ＵＥによって第２の時間において前記ＳＣＣを介した第３のネットワークノードとの通信を確立することをコンピュータに行わせるためのプログラムコードと、
前記第３のネットワークノードとの通信を確立することをコンピュータに行わせるための前記プログラムコードの実行中、前記ＵＥにおいてハンドオーバをトリガすることなしに前記ＰＣＣを介した前記第１のネットワークノードとの通信を維持することをコンピュータに行わせるためのプログラムコードとを含む、コンピュータプログラム製品。
［Ｃ７０］
前記第２のネットワークノードのカバレージエリアを出た後、前記ＳＣＣを介した前記第２のネットワークノードとの通信を非アクティブ化することをコンピュータに行わせるためのプログラムコードであって、前記非アクティブ化することをコンピュータに行わせるための前記プログラムコードは前記ＵＥにおいてハンドオーバをトリガしない、非アクティブ化することをコンピュータに行わせるためのプログラムコードをさらに備える、Ｃ６９に記載のコンピュータプログラム製品。
［Ｃ７１］
前記ＵＥによって前記第１の時間において少なくとも１つの追加のＳＣＣを介して少なくとも１つの追加のネットワークノードと通信することをコンピュータに行わせるためのプログラムコードをさらに備える、Ｃ６９に記載のコンピュータプログラム製品。
［Ｃ７２］
前記第１のネットワークノードと通信することをコンピュータに行わせるための前記プログラムコードが、前記ＰＣＣを介して前記第１のネットワークノードにデータを送り、前記ＰＣＣを介して前記第１のネットワークノードからデータを受信することをコンピュータに行わせるためのプログラムコードを含み、前記第２のネットワークノードと通信することをコンピュータに行わせるための前記プログラムコードが、前記ＳＣＣを介して前記第２のネットワークノードにデータを送り、前記ＳＣＣを介して前記第２のネットワークノードからデータを受信することをコンピュータに行わせるためのプログラムコードを含む、Ｃ６９に記載のコンピュータプログラム製品。
［Ｃ７３］
前記第１のネットワークノードと通信することをコンピュータに行わせるための前記プログラムコードが、前記ＰＣＣを介して前記第１のネットワークノードにデータを送り、前記ＰＣＣを介して前記第１のネットワークノードからデータを受信することをコンピュータに行わせるためのプログラムコードを含み、前記第２のネットワークノードと通信することをコンピュータに行わせるための前記プログラムコードが、前記ＳＣＣを介して前記第２のネットワークノードからデータを受信することをコンピュータに行わせるためのプログラムコードのみを含む、Ｃ６９に記載のコンピュータプログラム製品。
［Ｃ７４］
プログラムコードを記録した非一時的コンピュータ可読媒体を備える、ワイヤレスネットワークにおけるワイヤレス通信のためのコンピュータプログラム製品であって、前記プログラムコードは、
第１の時間における第１のネットワークノードとの通信のためにプライマリコンポーネントキャリア（ＰＣＣ）を用いて、第２のネットワークノードとの通信のためにセカンダリＣＣ（ＳＣＣ）を用いてユーザ機器（ＵＥ）を構成することをコンピュータに行わせるためのプログラムコードと、
前記第１の時間の後の第２の時間における第３のネットワークノードとの通信のために前記ＳＣＣを用いて前記ＵＥを構成することをコンピュータに行わせるためのプログラムコードと、
前記第３のネットワークノードとの通信のために前記ＵＥを前記構成する間、前記ＰＣＣを介した前記第１のネットワークノードとの通信を維持するように前記ＵＥを構成することをコンピュータに行わせるためのプログラムコードであって、前記ＵＥが前記ＰＣＣを介して前記第１のネットワークノードと通信している間、前記ＵＥについてハンドオーバが実行されない、前記ＵＥを構成することをコンピュータに行わせるためのプログラムコードとを含む、コンピュータプログラム製品。
［Ｃ７５］
前記第１の時間における少なくとも１つの他のネットワークノードとの通信のために別のＳＣＣを用いて前記ＵＥを構成することをコンピュータに行わせるためのプログラムコードをさらに備える、Ｃ７４に記載のコンピュータプログラム製品。
［Ｃ７６］
前記ＰＣＣが前記ＵＥのために構成されるとき、第１の時間期間中に前記ＵＥの構成に前記ＳＣＣを追加するか、または前記ＵＥの構成から前記ＳＣＣを除去することをコンピュータに行わせるためのプログラムコードをさらに備える、Ｃ７４に記載のコンピュータプログラム製品。
［Ｃ７７］
前記ＵＥが、前記ＰＣＣを介して前記第１のネットワークノードにデータを送り、前記ＰＣＣを介して前記第１のネットワークノードからデータを受信し、さらに、前記ＳＣＣを介して前記第２のネットワークノードにデータを送り、前記ＳＣＣを介して前記第２のネットワークノードからデータを受信する、Ｃ７４に記載のコンピュータプログラム製品。
［Ｃ７８］
前記ＵＥが、前記ＰＣＣを介して前記第１のネットワークノードにデータを送り、前記ＰＣＣを介して前記第１のネットワークノードからデータを受信し、前記ＳＣＣを介して前記第２のネットワークノードからデータを受信のみをする、Ｃ７４に記載のコンピュータプログラム製品。
［Ｃ７９］
前記ＰＣＣがトラフィックデータを搬送し、前記ＳＣＣが前記ＵＥのためのブロードキャストデータを搬送する、Ｃ７４に記載のコンピュータプログラム製品。
［Ｃ８０］
プログラムコードを記録した非一時的コンピュータ可読媒体を備える、ワイヤレスネットワークにおけるワイヤレス通信のためのコンピュータプログラム製品であって、前記プログラムコードは、
プライマリコンポーネントキャリア（ＰＣＣ）上でユーザ機器（ＵＥ）から第１のネットワークノードに送られた第１のアップリンク送信についての第１のシンボル推定値を取得することをコンピュータに行わせるためのプログラムコードと、
前記第１のアップリンク送信を受信する第２のネットワークノードから前記第１のアップリンク送信についての第２のシンボル推定値を取得することをコンピュータに行わせるためのプログラムコードであって、前記ＵＥが、前記ＰＣＣ上で前記第１のネットワークノードと、およびセカンダリＣＣ（ＳＣＣ）上で前記第２のネットワークノードと同時に通信する、第２のシンボル推定値を取得することをコンピュータに行わせるためのプログラムコードと、
前記第１のアップリンク送信についての第１の合成シンボル推定値を取得するために前記第１のシンボル推定値と前記第２のシンボル推定値とを合成することをコンピュータに行わせるためのプログラムコードと、
前記ＵＥによって前記第１のアップリンク送信において送られたデータを復元するために前記第１の合成シンボル推定値を復号することをコンピュータに行わせるためのプログラムコードとを含む、コンピュータプログラム製品。
［Ｃ８１］
前記ＳＣＣ上で前記ＵＥから前記第２のネットワークノードに送られ、前記第１のネットワークノードによって受信された第２のアップリンク送信についての第３のシンボル推定値を取得することをコンピュータに行わせるためのプログラムコードと、
前記第２のネットワークノードから前記第２のアップリンク送信についての第４のシンボル推定値を取得することをコンピュータに行わせるためのプログラムコードと、
前記第２のアップリンク送信についての第２の合成シンボル推定値を取得するために前記第３のシンボル推定値と前記第４のシンボル推定値とを合成することをコンピュータに行わせるためのプログラムコードと、
前記ＵＥによる前記第２のアップリンク送信におけるデータを復元するために前記第２の合成シンボル推定値を復号することをコンピュータに行わせるためのプログラムコードとをさらに備える、Ｃ８０に記載のコンピュータプログラム製品。
［Ｃ８２］
前記第１のアップリンク送信についての前記ＵＥの第１の送信タイミングを調整することをコンピュータに行わせるためのプログラムコードと、
前記第２のアップリンク送信についての前記ＵＥの第２の送信タイミングを調整することをコンピュータに行わせるためのプログラムコードとをさらに備える、Ｃ８０に記載のコンピュータプログラム製品。
［Ｃ８３］
ワイヤレス通信のために構成された装置であって、前記装置が、
少なくとも１つのプロセッサと、
前記少なくとも１つのプロセッサに結合されたメモリとを備え、
前記少なくとも１つのプロセッサは、
ユーザ機器（ＵＥ）によって、第１の時間において、プライマリコンポーネントキャリア（ＰＣＣ）を介して第１のネットワークノードと通信し、セカンダリＣＣ（ＳＣＣ）を介して第２のネットワークノードと通信することと、
前記ＵＥによって第２の時間において前記ＳＣＣを介した第３のネットワークノードとの通信を確立することと、
前記第３のネットワークノードとの通信の確立中、前記ＵＥにおいてハンドオーバをトリガすることなしに前記ＰＣＣを介した前記第１のネットワークノードとの通信を維持することとを行うように構成される、装置。
［Ｃ８４］
前記第２のネットワークノードのカバレージエリアを出た後、前記ＳＣＣを介した前記第２のネットワークノードとの通信を非アクティブ化することであって、前記非アクティブ化は前記ＵＥにおいてハンドオーバをトリガしない、非アクティブ化することを行うための前記少なくとも１つのプロセッサの構成をさらに備える、Ｃ８３に記載の装置。
［Ｃ８５］
前記ＵＥによって前記第１の時間において少なくとも１つの追加のＳＣＣを介して少なくとも１つの追加のネットワークノードと通信することを行うための前記少なくとも１つのプロセッサの構成をさらに備える、Ｃ８３に記載の装置。
［Ｃ８６］
前記第１のネットワークノードと通信することを行うための前記少なくとも１つのプロセッサの前記構成が、前記ＰＣＣを介して前記第１のネットワークノードにデータを送り、前記ＰＣＣを介して前記第１のネットワークノードからデータを受信することを行うための前記少なくとも１つのプロセッサの構成を含み、前記第２のネットワークノードと通信することを行うための前記少なくとも１つのプロセッサの前記構成が、前記ＳＣＣを介して前記第２のネットワークノードにデータを送り、前記ＳＣＣを介して前記第２のネットワークノードからデータを受信することを行うための前記少なくとも１つのプロセッサの構成を含む、Ｃ８３に記載の装置。
［Ｃ８７］
前記第１のネットワークノードと通信することを行うための前記少なくとも１つのプロセッサの前記構成が、前記ＰＣＣを介して前記第１のネットワークノードにデータを送り、前記ＰＣＣを介して前記第１のネットワークノードからデータを受信することを行うための前記少なくとも１つのプロセッサの構成を含み、前記第２のネットワークノードと通信することを行うための前記少なくとも１つのプロセッサの前記構成が、前記ＳＣＣを介して前記第２のネットワークノードからデータを受信することを行うための前記少なくとも１つのプロセッサの構成のみを含む、Ｃ８３に記載の装置。
［Ｃ８８］
ワイヤレス通信のために構成された装置であって、
少なくとも１つのプロセッサと、
前記少なくとも１つのプロセッサに結合されたメモリとを備え、
前記少なくとも１つのプロセッサは、
第１の時間における第１のネットワークノードとの通信のためにプライマリコンポーネントキャリア（ＰＣＣ）を用い、第２のネットワークノードとの通信のためにセカンダリＣＣ（ＳＣＣ）を用いて、ユーザ機器（ＵＥ）を構成することと、
前記第１の時間の後の第２の時間における第３のネットワークノードとの通信のために前記ＳＣＣを用いて前記ＵＥを構成することと、
前記第３のネットワークノードとの通信のために前記ＵＥを前記構成する間、前記ＰＣＣを介した前記第１のネットワークノードとの通信を維持するように前記ＵＥを構成することであって、前記ＵＥが前記ＰＣＣを介して前記第１のネットワークノードと通信している間、前記ＵＥについてハンドオーバが実行されない、前記ＵＥを構成することとを行うように構成される、装置。
［Ｃ８９］
前記第１の時間における少なくとも１つの他のネットワークノードとの通信のために別のＳＣＣを用いて前記ＵＥを構成することを行うための前記少なくとも１つのプロセッサの構成をさらに備える、Ｃ８８に記載の装置。
［Ｃ９０］
前記ＰＣＣが前記ＵＥのために構成されるとき、第１の時間期間中に前記ＵＥの構成に前記ＳＣＣを追加するか、または前記ＵＥの構成から前記ＳＣＣを除去することを行うための前記少なくとも１つのプロセッサの構成をさらに備える、Ｃ８８に記載の装置。
［Ｃ９１］
前記ＵＥが、前記ＰＣＣを介して前記第１のネットワークノードにデータを送り、前記ＰＣＣを介して前記第１のネットワークノードからデータを受信し、さらに、前記ＳＣＣを介して前記第２のネットワークノードにデータを送り、前記ＳＣＣを介して前記第２のネットワークノードからデータを受信する、Ｃ８８に記載の装置。
［Ｃ９２］
前記ＵＥが、前記ＰＣＣを介して前記第１のネットワークノードにデータを送り、前記ＰＣＣを介して前記第１のネットワークノードからデータを受信し、前記ＳＣＣを介して前記第２のネットワークノードからデータを受信のみをする、Ｃ８８に記載の装置。
［Ｃ９３］
前記ＰＣＣがトラフィックデータを搬送し、前記ＳＣＣが前記ＵＥのためのブロードキャストデータを搬送する、Ｃ８８に記載の装置。
［Ｃ９４］
ワイヤレス通信のために構成された装置であって、
少なくとも１つのプロセッサと、
前記少なくとも１つのプロセッサに結合されたメモリとを備え、
前記少なくとも１つのプロセッサは、
プライマリコンポーネントキャリア（ＰＣＣ）上でユーザ機器（ＵＥ）から第１のネットワークノードに送られた第１のアップリンク送信についての第１のシンボル推定値を取得することと、
前記第１のアップリンク送信を受信する第２のネットワークノードから前記第１のアップリンク送信についての第２のシンボル推定値を取得することであって、前記ＵＥが、前記ＰＣＣ上で前記第１のネットワークノードと、およびセカンダリＣＣ（ＳＣＣ）上で前記第２のネットワークノードと同時に通信する、第２のシンボル推定値を取得することと、
前記第１のアップリンク送信についての第１の合成シンボル推定値を取得するために前記第１のシンボル推定値と前記第２のシンボル推定値とを合成することと、
前記ＵＥによって前記第１のアップリンク送信において送られたデータを復元するために前記第１の合成シンボル推定値を復号することとを行うように構成される、装置。
［Ｃ９５］
前記ＳＣＣ上で前記ＵＥから前記第２のネットワークノードに送られ、前記第１のネットワークノードによって受信された第２のアップリンク送信についての第３のシンボル推定値を取得することと、
前記第２のネットワークノードから前記第２のアップリンク送信についての第４のシンボル推定値を取得することと、
前記第２のアップリンク送信についての第２の合成シンボル推定値を取得するために前記第３のシンボル推定値と前記第４のシンボル推定値とを合成することと、
前記ＵＥによる前記第２のアップリンク送信におけるデータを復元するために前記第２の合成シンボル推定値を復号することとを行うための前記少なくとも１つのプロセッサの構成をさらに備える、Ｃ９４に記載の装置。
［Ｃ９６］
前記第１のアップリンク送信についての前記ＵＥの第１の送信タイミングを調整することと、
前記第２のアップリンク送信についての前記ＵＥの第２の送信タイミングを調整することとを行うための前記少なくとも１つのプロセッサの構成をさらに備える、Ｃ９４に記載の装置。